(57)【要約】  本発明は、バッテリーモジュール及びこれを備えるバッテリーパックに係り、さらに詳しくは、複数のバッテリーセルの正（＋）極端子及び負（−）極端子に連結される同じ形状のバスバーを備えるバッテリーモジュール及び複数のバッテリーモジュールの同じ側面部において前記バスバーを介してモジュール同士の電気的な接続を行うバスバー連結部が設けられたバッテリーパックに関する。
2020528654.tif 000002
【特許請求の範囲】
【請求項１】
垂直方向に隣接して連続して配列され、正（＋）極及び負（−）極が同一の方向に配置される複数のバッテリーセルと、
前記複数のバッテリーセルを収容するモジュールケースと、
前記モジュールケースの一面に配置されて隣り合うバッテリーセルの正（＋）極を電気的に接続する正極端子係合部と、正極端子係合部から垂直に折り曲げられて延びる正極端子延在部と、を有する正極バスバーと、
前記正極バスバーと対向するモジュールケースの他面に配置されて隣り合うバッテリーセルの負（−）極を電気的に接続する負極バスバーと、
を備えるバッテリーモジュール。 
【請求項２】
前記負極バスバーは、
前記バッテリーセルの負（−）極端子と当接する負極端子係合部と、
前記負極端子係合部から垂直に折り曲げられて延びる負極端子延在部と、
を備えることを特徴とする請求項１に記載のバッテリーモジュール。
【請求項３】
前記正極バスバーの正極端子延在部と負極バスバーの負極端子延在部は、
バッテリーモジュールの一側面の同一の面に所定の領域だけ延び、互いに離れて形成されることを特徴とする請求項２に記載のバッテリーモジュール。
【請求項４】
前記モジュールケースには、外側に前記正極バスバー及び負極バスバーが定位置に載置できるように胴体の方向に所定の深さを有するバスバー載置溝がさらに形成されることを特徴とする請求項１から３のいずれか一項に記載のバッテリーモジュール。
【請求項５】
前記正極バスバー及び負極バスバーは、前記複数のバッテリーセルが当接する部分にそれぞれの貫通孔がさらに形成されることを特徴とする請求項１から４のいずれか一項に記載のバッテリーモジュール。
【請求項６】
複数のバッテリーセルから構成されたモジュールが複数設けられるバッテリーパックにおいて、
正極バスバー及び負極バスバーが側面の一面に離れて配置された第１のバッテリーモジュールと、
正極バスバー及び負極バスバーが側面の一面に離れて配置された第２のバッテリーモジュールと、
第１のバッテリーモジュールの正極バスバーと第２のバッテリーモジュールの負極バスバーとを、または第１のバッテリーモジュールの負極バスバーと第２のバッテリーモジュールの正極バスバーとを電気的に接続するバスバー連結部と、
を備えるバッテリーパック。
【請求項７】
前記第１のバッテリーモジュール及び第２のバッテリーモジュールの正極バスバーは、
複数のバッテリーセルを収容するモジュールケースの一面に配置されて隣り合うバッテリーセルの正（＋）極を電気的に接続する正極端子係合部と、
前記正極端子係合部から垂直に折り曲げられて延びる正極端子延在部と、
を備えており、
前記第１のバッテリーモジュール及び第２のバッテリーモジュールの負極バスバーは、
前記正極バスバーと対向するモジュールケースの他面に配置されて隣り合うバッテリーセルの負（−）極を電気的に接続する負極端子係合部と、
前記負極端子係合部から垂直に折り曲げられて延びる負極端子延在部と、
を備えており、
前記バスバー連結部は、前記正極バスバーの正極端子延在部及び前記負極バスバーの負極端子延在部に接して連結されることを特徴とする請求項６に記載のバッテリーパック。
【請求項８】
前記第１のバッテリーモジュールの正極バスバー及び負極バスバー、並びに第２のバッテリーモジュールの正極バスバー及び負極バスバーは、各バッテリーモジュールの同一の方向の側面に位置することを特徴とする請求項６または７に記載のバッテリーパック。
【請求項９】
前記バッテリーパックは、
内側の底面が板状に形成されて前記第１のバッテリーモジュール及び第２のバッテリーモジュールを内側に収容する下ケースと、
前記下ケースに対応する形状に形成されて前記前記第１のバッテリーモジュール及び第２のバッテリーモジュールの上部を覆う上ケースと、
をさらに備えることを特徴とすることを特徴とする請求項６から８のいずれか一項に記載のバッテリーパック。
【請求項１０】
請求項６から９のいずれか一項に記載のバッテリーパックを備えるデバイス。
【発明の詳細な説明】
【技術分野】
【０００１】
本発明は、バッテリーモジュール及びこれを備えるバッテリーパックに係り、さらに詳しくは、複数のバッテリーセルの正（＋）極端子及び負（−）極端子に連結される同じ形状のバスバーを備えるバッテリーモジュール及び複数のバッテリーモジュールの同じ側面部において前記バスバーを介してモジュール同士の電気的な接続を行うバスバー連結部が設けられたバッテリーパックに関する。
【背景技術】
【０００２】
バッテリーパックを構成する単位電池としてのリチウム二次電池は、柔軟性を有してその形状が比較的自由であり、軽量である他、安全性に優れていることから、携帯電話、ビデオ付きカメラ、ノート型パソコンなどの携帯用の電子機器の電源としての需要が高まりつつある。なお、リチウム二次電池は、携帯型の電子機器などの小型の装置だけではなく、自動車や電力蓄積装置にも広く用いられている。
【０００３】
一方、前記二次電池の形状は、バッテリーケースの形状に応じて区別されるが、電極組立体が円筒状又は角状の金属缶に内蔵されている場合は、円筒型バッテリー及び角型バッテリーに分類される。なお、電極組立体がアルミニウムラミネートシートのパウチ型ケースに内蔵されている場合は、パウチ型バッテリーに分類される。
【０００４】
また、バッテリーケースに内蔵される電極組立体は、正極、負極、及び前記正極と前記負極との間に挟持されたセパレーターの構造となっており、充／放電が行える。なお、円筒型電極組立体は、電極活物質が塗布された長尺のシート状の正極、セパレーター及び負極をこの順に積層して巻き取ったジェリーロール状に形成される。
【０００５】
上述したようなバッテリーは、一つのバッテリーセルに分類して複数のバッテリーセルが直列及び／又は並列に接続されて一つのモジュールを形成し、このようなモジュールが複数接続されれば、一つのバッテリーパックとして形成される。
【０００６】
上記の複数のモジュールは、バスバーを介して電気的に接続されるが、これについては、図１に基づいてさらに詳しく説明する。
【０００７】
図１は、従来のバッテリーパックの構造図である。
【０００８】
図１を参照すると、従来のバッテリーパックは、バッテリーモジュール同士の電気的な接続のために各モジュールの極が交互に配列されるように配置されていた。
【０００９】
すなわち、複数のバッテリーセルが並列に接続された複数のバッテリーモジュールが直列に接続できるように所定のバッテリーモジュールを回転させて電気的に接続していた。
【００１０】
しかしながら、このような作業は、バッテリーモジュールを回転させることにより、バッテリーパックの組み立ての効率が低下し、しかも、生産時間が長引いてしまうという問題が生じる。
【先行技術文献】
【特許文献】
【００１１】
【特許文献１】韓国公開特許第２０１５−００８４６６１号公報
【発明の概要】
【発明が解決しようとする課題】
【００１２】
本発明は、組み立ての効率性を増大させて速やかに組み立てられるバッテリーモジュール及びこれを備えるバッテリーパックを提供する。
【課題を解決するための手段】
【００１３】
本発明の実施形態に係るバッテリーモジュールは、垂直方向に隣接して連続して配列され、正（＋）極及び負（−）極が同一の方向に配置される複数のバッテリーセルと、前記複数のバッテリーセルを収容するモジュールケースと、前記モジュールケースの一面に配置されて隣り合うバッテリーセルの正（＋）極を電気的に接続する正極端子係合部と、正極端子係合部から垂直に折り曲げられて延びる正極端子延在部と、を有する正極バスバーと、前記正極バスバーと対向するモジュールケースの他面に配置されて隣り合うバッテリーセルの負（−）極を電気的に接続する負極バスバーと、を備える。
【００１４】
前記負極バスバーは、前記バッテリーセルの負（−）極端子と当接する負極端子係合部と、前記負極端子係合部から垂直に折り曲げられて延びる負極端子延在部と、を備える。
【００１５】
前記正極バスバーの正極端子延在部と負極バスバーの負極端子延在部は、バッテリーモジュールの一側面の同一の面に所定の領域だけ延び、互いに離れて形成される。
【００１６】
前記モジュールケースには、外側に前記正極バスバー及び負極バスバーが定位置に載置できるように胴体の方向に所定の深さを有するバスバー載置溝がさらに形成される。
【００１７】
前記正極バスバー及び負極バスバーは、前記複数のバッテリーセルが当接する部分にそれぞれの貫通孔がさらに形成される。
【００１８】
本発明の実施形態に係るバッテリーパックは、複数のバッテリーセルから構成されたモジュールが複数設けられるバッテリーパックにおいて、正極バスバー及び負極バスバーが側面の一面に離れて配置された第１のバッテリーモジュールと、正極バスバー及び負極バスバーが側面の一面に離れて配置された第２のバッテリーモジュールと、第１のバッテリーモジュールの正極バスバーと第２のバッテリーモジュールの負極バスバーとを、または第１のバッテリーモジュールの負極バスバーと第２のバッテリーモジュールの正極バスバーとを電気的に接続するバスバー連結部と、を備える。
【００１９】
前記第１のバッテリーモジュール及び第２のバッテリーモジュールの正極バスバーは、複数のバッテリーセルを収容するモジュールケースの一面に配置されて隣り合うバッテリーセルの正（＋）極を電気的に接続する正極端子係合部と、前記正極端子係合部から垂直に折り曲げられて延びる正極端子延在部と、を備えており、前記第１のバッテリーモジュール及び第２のバッテリーモジュールの負極バスバーは、前記正極バスバーと対向するモジュールケースの他面に配置されて隣り合うバッテリーセルの負（−）極を電気的に接続する負極端子係合部と、前記負極端子係合部から垂直に折り曲げられて延びる負極端子延在部と、を備えており、前記バスバー連結部は、前記正極バスバーの正極端子延在部及び前記負極バスバーの負極端子延在部に接して連結される。
【００２０】
前記第１のバッテリーモジュールの正極バスバー及び負極バスバー、並びに第２のバッテリーモジュールの正極バスバー及び負極バスバーは、各バッテリーモジュールの同一の方向の側面に位置する。
【００２１】
前記バッテリーパックは、内側の底面が板状に形成されて前記第１のバッテリーモジュール及び第２のバッテリーモジュールを内側に収容する下ケースと、前記下ケースに対応する形状に形成されて前記前記第１のバッテリーモジュール及び第２のバッテリーモジュールの上部を覆う上ケースと、をさらに備える。
【００２２】
本発明は、前記バッテリーパック付きデバイスを提供する。
【００２３】
具体的に、前記デバイスは、一面のみが開口可能な構造に形成されて前記バッテリーパックのモジュールの構成要素の追加／取替えを容易に行うことができる。
【００２４】
前記デバイスの具体例としては、ノート型パソコン、タブレットＰＣ、ウェアラブル電子機器、電気自動車（ＥＶ：Ｅｌｅｃｔｒｉｃ  Ｖｅｈｉｃｌｅ）、ハイブリッド電気自動車（ＨＥＶ：Ｈｙｂｒｉｄ  Ｅｌｅｃｔｒｉｃ  Ｖｅｈｉｃｌｅ）、プラグインハイブリッド電気自動車（ＰＨＥＶ：Ｐｌｕｇ−ｉｎ  Ｈｙｂｒｉｄ  Ｅｌｅｃｔｒｉｃ  Ｖｅｈｉｃｌｅ）などをはじめとする電気車、電力貯蔵装置などが挙げられるが、これらに限定されることはない。
【００２５】
また、これらのデバイスの構造及びその製作方法は当業界において公知であるため、本明細書においてはそれについての詳しい説明は省略する。
【発明の効果】
【００２６】
本発明の実施形態に係るバッテリーモジュール及びこれを備えるバッテリーパックは、正（＋）極、負（−）極のバスバーが同一の面の側面部に位置し、複数のバッテリーモジュールが一つの側面方向においてモジュール同士の連結を行うことにより、モジュール同士の連結のための別途のモジュールの回転が不要になることから、組み立ての効率性が増大されて速やかなバッテリーパックの組み立てを行うことが可能である。
【図面の簡単な説明】
【００２７】
【図１】従来のバッテリーパックの構造図。
【図２】本発明の実施形態に係るバッテリーモジュールの分解斜視図。
【図３】本発明の実施形態に係るバッテリーモジュール内のモジュールケースの斜視図。
【図４】本発明の実施形態に係るバッテリーモジュール内の正極バスバー及び負極バスバーの斜視図。
【図５】本発明の実施形態に係るバッテリーパックの斜視図。
【発明を実施するための形態】
【００２８】
以下では、添付図面に基づいて、本発明が属する技術分野において通常の知識を有する者が容易に実施できるように本発明の実施の形態について詳しく説明する。但し、本発明が実施形態により制限されたり限定されたりすることはない。単にこれらの実施形態は本発明の開示を完全たるものにし、本発明の技術分野において通常の知識を有する者に発明の範囲を完全に知らせるために提供されるものである。
【００２９】
また、「第１の」、「第２の」などのように序数を含む言い回しは、様々な構成要素を説明するうえで使用可能であるが、前記構成要素は、前記言い回しによって何等限定されない。前記言い回しは、ある構成要素を他の構成要素から区別する目的でしか使えない。例えば、本発明の権利範囲を逸脱しない範囲内において第１の構成要素は第２の構成要素と命名されてもよく、同様に、第２の構成要素もまた第１の構成要素と命名されてもよい。本出願において用いた用語は、単に特定の実施形態を説明するために用いられたものであり、本発明を限定しようとする意図はない。単数の表現は、文脈からみて明らかに他の意味を有さない限り、複数の言い回しを含む。
【００３０】
本発明において用いられる用語としては、本発明における機能を考慮しつつ、できる限り現在汎広く用いられている一般的な用語を選択したが、これは、当分野に携わっている技術者の意図又は判例、新たな技術の出現などによって異なる。なお、特定の場合は、出願人が任意に選定した用語もあり、この場合に、当該する発明の説明の部分の欄において詳しくその意味を記載する。よって、本発明において用いられる用語は、単なる用語の名称ではなく、その用語が有する意味と本発明の全般に亘っての内容を踏まえて定義されるべきである。
【００３１】
＜実施形態１＞
次いで、本発明の実施形態に係るバッテリーモジュールについて説明する。
【００３２】
本発明の実施形態に係るバッテリーモジュールは、複数のバッテリーモジュールが側面において連結できるように一面に配置される形態の正（＋）極／負（−）極バスバーを備えることから、速やかに組み立てられるようにする。
【００３３】
図２は、本発明の実施形態に係るバッテリーモジュールの分解斜視図である。
【００３４】
図２を参照すると、本発明の実施形態に係るバッテリーモジュール１００は、垂直方向に隣接して連続して配列され、正（＋）極及び負（−）極が同一の方向に配置される複数のバッテリーセル１１０と、前記複数のバッテリーセル１１０を収容するモジュールケース１２０と、前記モジュールケース１２０の一面に配置されて隣り合うバッテリーセルの正（＋）極を電気的に接続する正極端子係合部１３１と、正極端子係合部１３１から垂直に折り曲げられて延びる正極端子延在部１３２と、を有する正極バスバー１３０及び前記正極バスバー１３０と対向するモジュールケースの他面に配置されて隣り合うバッテリーセルの負（−）極を電気的に接続する負極バスバー１４０を備える。
【００３５】
また、前記負極バスバー１４０は、前記正極バスバー１３０と同様に、前記バッテリーセルの負（−）極端子と当接する負極端子係合部１４１及び前記負極端子係合部１４１から垂直に折り曲げられて延びる負極端子延在部１４２を備える。
【００３６】
以下、このようなバッテリーモジュール１００の構成についてさらに詳しく説明する。
【００３７】
前記複数のバッテリーセル１１０は、垂直方向に隣接して連続して配列され、正（＋）極及び負（−）極が同一の方向に配置される構成要素であって、複数のバッテリーセル１１０を備えるバッテリーモジュールの一面に正（＋）極が形成され、他面に負（−）極が形成できるようにする。
【００３８】
これは、バッテリーモジュールの電極端子が一方向に配置されてバッテリーモジュール同士の連結を行いやすくする。
【００３９】
また、前記バッテリーセル１１０は、円筒状のバッテリーセルを用いるが、必要に応じて容易に変更可能である。
【００４０】
さらに、前記モジュールケース１２０は、前記複数のバッテリーセル１１０を内側に収容する構成要素であって、前記複数のバッテリーセル１１０の各側面のみを包み込んでバッテリーモジュールの形状を取る形態であってもよく、複数のバッテリーセルの全面を包み込んで各バッテリーセルの電極端子のみを露出させる形態であってもよい。
【００４１】
さらにまた、前記モジュールケース１２０は、外側に前記正極バスバー１３０及び負極バスバー１４０が定位置に載置できるように胴体の方向に所定の深さを有するバスバー載置溝１２１をさらに形成するが、これについては、図３に基づいてさらに詳しく説明する。
【００４２】
図３は、本発明の実施形態に係るバッテリーモジュール内のモジュールケースの斜視図である。
【００４３】
図３を参照すると、前記バスバー載置溝１２１は、前記バスバーが配置されてバッテリーモジュールが水平状に形成されるようにバスバーの厚さに見合う分だけの深さが胴体の方向に形成されてもよい。
【００４４】
また、前記バスバー載置溝１２１内に前記正極バスバー１３０と負極バスバー１４０が載置されれば、別途の動作を行うことなく、容易に正極バスバー１３０と負極バスバー１４０を離して位置させてもよい。
【００４５】
さらに、前記正極バスバー１３０は、前記モジュールケース１２０の一面に配置されて隣り合うバッテリーセルの正（＋）極を電気的に接続する正極端子係合部１３１と、正極端子係合部１３１から垂直に折り曲げられて延びる正極端子延在部１３２と、を備えており、前記負極バスバー１４０は、前記正極バスバー１３０と対向するモジュールケースの他面に配置されて隣り合うバッテリーセルの負（−）極を電気的に接続する負極端子係合部１４１及び前記負極端子係合部１４１から垂直に折り曲げられて延びる負極端子延在部１４２を備える。
【００４６】
前記正極端子係合部１３１及び負極端子係合部１４１について、図４に基づいてさらに詳しく説明する。
【００４７】
図４は、本発明の実施形態に係るバッテリーモジュール内の正極バスバー及び負極バスバーの斜視図である。
【００４８】
前記正極バスバー及び負極バスバーは同じ形状に形成されるので、一つの形状について説明する。
【００４９】
図４を参照すると、前記正極端子係合部１３１及び負極端子係合部１４１は、複数のバッテリーセルのそれぞれの電極端子と当接してそれぞれの正（＋）極及び負（−）極を形成する構成要素であって、電気伝導性の素材からなって電気的に接続可能にする。
【００５０】
また、前記正極端子係合部１３１及び負極端子係合部１４１は、前記図２に示すように、１枚の板状に形成されてバッテリーモジュールの上／下部を覆うようにしてもよく、前記図４に示すように、バッテリーセルが当接する部分にそれぞれの貫通孔１５０が形成された形状に形成されてもよい。
【００５１】
ここで、貫通孔１５０は、バッテリーセル内において様々な要因により発生するガスがバッテリーモジュールの外部に排出できるように形成される。これは、バッテリーモジュール内にガスが溜まってガスによる圧力によりバッテリーセルがダメージを受けることを防止する。
【００５２】
さらに、前記正極端子係合部１３１及び負極端子係合部１４１の内側には、前記複数のバッテリーセルの電極端子と当接する部分にセル端子係合部１５１を当該位置にさらに備えてそれぞれのバッテリーセルの端子と容易に連結できるようにする。
【００５３】
前記セル端子係合部１５１は、弾性を有し、前記正極端子係合部１３１及び負極端子係合部１４１から突き出て延びる形状に形成されて、前記モジュールケース１２０が複数のバッテリーセルの全面を包み込んで電極端子のみが露出される形状に形成される場合であっても、容易にそれぞれのバッテリーセル端子と接触できるようにする。
【００５４】
さらにまた、前記正極端子延在部１３２及び負極端子延在部１４２は、前記複数のバッテリーセルの電極端子が接する正極端子係合部１３１及び負極端子係合部１４１からそれぞれ垂直に折り曲げられて延びる構成要素であって、同一の一側面に互いに離れて形成される。
【００５５】
これは、前記正極端子延在部１３２及び負極端子延在部１４２は、他のバッテリーモジュールとの電気的な接続を行うので、同一面に配置されて一方向からバッテリーモジュール同士の連結が行えるようにする。
【００５６】
さらにまた、前記正極端子延在部１３２及び負極端子延在部１４２は、一側面に所定の領域を確保する様々な形状に形成されてもよい。
【００５７】
しかしながら、一つのバッテリーモジュールの電流を過負荷なしに速やかに伝送するためには、最大限に広い面を確保することが効率的である。
【００５８】
したがって、本発明の実施形態においては、バッテリーモジュールの側面の一方の側を確保して最大限に広い面で他のバッテリーモジュールとの連結が行えるようにする。
【００５９】
＜実施形態２＞
次いで、本発明の実施形態に係るバッテリーパックについて説明する。
【００６０】
本発明の実施形態に係るバッテリーパックは、複数のバッテリーモジュール同士の連結が一側面において行えるバスバーとバスバー連結部を備えることにより、一面において速やかにバッテリーパックが組み立てられるようにする。
【００６１】
図５は、本発明の実施形態に係るバッテリーパックの斜視図である。
【００６２】
図５を参照すると、本発明の実施形態に係るバッテリーパック１０００は、複数のバッテリーセルから構成されたモジュールが複数設けられ、正極バスバー及び負極バスバーが側面の一面に離れて配置された第１のバッテリーモジュール１００と、正極バスバー及び負極バスバーが側面の一面に離れて配置された第２のバッテリーモジュール２００、及び第１のバッテリーモジュールの正極バスバーと第２のバッテリーモジュールの負極バスバーとを、または第１のバッテリーモジュールの負極バスバーと第２のバッテリーモジュールの正極バスバーとを電気的に接続するバスバー連結部３００を備える。
【００６３】
ここで、バッテリーパックは、説明しやすくするために、二つのバッテリーモジュールであることを例にとって説明するが、複数のバッテリーモジュールを列設状態に次から次へと連結してもよい。
【００６４】
以下、このようなバッテリーパック１０００についてさらに詳しく説明する。
【００６５】
また、前記第１のバッテリーモジュール１００及び第２のバッテリーモジュール２００は、正極バスバー及び負極バスバーが側面の一面に離れて配置された構成要素であって、正極バスバー及び負極バスバーが配置された側面は、第１のバッテリーモジュール１００及び第２のバッテリーモジュール２００が同一のＡ面に形成される。ここで、Ａ面とは、バッテリーパックの内側の一側面を意味する。
【００６６】
さらに、前記第１のバッテリーモジュール１００及び第２のバッテリーモジュール２００は、同一の構成に形成されるが、図２を参照して、垂直方向に隣接して連続して配列され、正（＋）極及び負（−）極が同一の方向に配置される複数のバッテリーセル１１０と、前記複数のバッテリーセル１１０を収容するモジュールケース１２０と、前記モジュールケース１２０の一面に配置されて隣り合うバッテリーセルの正（＋）極を電気的に接続する正極バスバー１３０、及び前記正極バスバー１３０と対向するモジュールケースの他面に配置されて隣り合うバッテリーセルの負（−）極を電気的に接続する負極バスバー１４０を備える。
【００６７】
さらにまた、前記正極バスバー１３０及び負極バスバー１４０についてさらに詳しく説明すれば、前記正極バスバー１３０は、前記モジュールケース１２０の一面に配置されて隣り合うバッテリーセルの正（＋）極を電気的に接続する正極端子係合部１３１と、正極端子係合部から垂直に折り曲げられて延びる正極端子延在部１３２と、を備えており、前記負極バスバー１４０は、前記正極バスバー１３０と対向するモジュールケースの他面に配置されて隣り合うバッテリーセルの負（−）極を電気的に接続する負極端子係合部１４１及び前記負極端子係合部１４１から垂直に折り曲げられて延びる負極端子延在部１４２を備える。
【００６８】
前記正極端子係合部１３１及び負極端子係合部１４１は、一つの極を形成する複数のバッテリーセルの電極端子と当接してバッテリーモジュールの一面に正（＋）極が形成され、他面に負（−）極が形成されるようにする。
【００６９】
加えて、前記正極端子延在部１３２及び負極端子延在部１４２は、前記複数のバッテリーセルの電極端子が接する正極端子係合部１３１及び負極端子係合部１４１からそれぞれ垂直に折り曲げられて延びる構成要素であって、同一の一側面に互いに離れて形成される。
【００７０】
前記正極端子延在部１３２及び負極端子延在部１４２は、前記バスバー連結部３００を介して他のバッテリーモジュールとの電気的な接続を行うので、同一の面に配置されて一方向からバッテリーモジュール同士の連結が行えるようにする。
【００７１】
また、前記正極端子延在部１３２及び負極端子延在部１４２は、前記バスバー連結部３００の連結のために所定の間隔の側面延在部１６０を形成してバスバー連結部３００の連結が側面延在部１６０上において行われやすくする。
【００７２】
さらに、前記バスバー連結部３００は、第１のバッテリーモジュールの正極バスバーと第２のバッテリーモジュールの負極バスバーとを、または第１のバッテリーモジュールの負極バスバーと第２のバッテリーモジュールの正極バスバーとを電気的に接続する構成要素であって、さらに厳しく言えば、正極バスバーの正極端子延在部１３２と負極バスバーの負極端子延在部１４２の側面部に連結される。
【００７３】
さらにまた、前記バスバー連結部３００は、前記正極バスバーの正極端子延在部１３２と負極バスバーの負極端子延在部１４２の側面部の長さに見合う分だけ延びて所定の範囲に連結される。
【００７４】
加えて、前記バスバー連結部３００は、前記正／負極バスバーと同じ素材からなって、バッテリーモジュールから引き出される電流の損失を低減させ、超音波溶接及びレーザー溶接などを用いて互いに連結される。しかし、これに何ら限定されることなく、様々な素材の構成要素及び連結方法を通じて連結可能である。
【００７５】
また、前記バッテリーパック１０００は、下ケース４００及び上ケース５００をさらに備える。
【００７６】
前記下ケース４００は、前記第１のバッテリーモジュール１００及び第２のバッテリーモジュール２００を内側に収容し、上ケース５００は、前記下ケース４００に対応する形状に形成されて前記第１のバッテリーモジュール１００及び第２のバッテリーモジュール２００の上部を覆って、一つのバッテリーパックが形成できるようにする。
【００７７】
さらに、前記下ケース４００及び上ケース５００間の連結方式としては、ボルトによる連結方式だけではなく、様々な連結方式が適用可能である。
【００７８】
さらにまた、前記下ケース４００は、内側の底面が平らなプレート状に形成されて前記バッテリーモジュール１００、２００を配置してもよく、バッテリーモジュール１００、２００間の連結が一側面において行われるため、底面には別途の電気的な接続のための構成要素が不要である。
【００７９】
したがって、本願発明のバッテリーパックは、電気的な接続のための別途のさらなる空間及び構成要素が不要であり、一側面においてモジュールを延ばし易いので、大容量のバッテリーモジュールを必要とする自動車だけではなく、様々なデバイスに適用可能である。
【００８０】
一方、本発明の技術的思想は、前記実施形態に基づいて具体的に記述されたが、前記実施形態はその説明のためのものであり、その制限のためのものではないということに留意すべきである。なお、本発明の技術分野における当業者であれば、本発明の技術思想の範囲内において種々の実施形態が実施可能であるということが理解できる筈である。
【符号の説明】
【００８１】
１００：バッテリーモジュール、第１のバッテリーモジュール
１１０：バッテリーセル
１２０：モジュールケース
１２１：バスバー載置溝
１３０：正極バスバー
１３１：正極端子係合部
１３２：正極端子延在部
１４０：負極バスバー
１４１：負極端子係合部
１４２：負極端子延在部
１５０：貫通孔
１５１：セル端子係合部
１６０：側面延在部
２００：第２のバッテリーモジュール
３００：バスバー連結部
４００：下ケース
５００：上ケース
【図１】
2020528654.tif 000003
【図２】
2020528654.tif 000004
【図３】
2020528654.tif 000005
【図４】
2020528654.tif 000006
【図５】
2020528654.tif 000007
【国際調査報告】
2020528654.tif 000008
2020528654.tif 000009
2020528654.tif 000010
2020528654.tif 000011